(57)【要約】【課題】中方立てと鴨居との接合部分や中方立てと敷居との接合部分の外観上の美感を向上させると共に、中方立てへの遮断部材の取付作業を容易にすることを課題とする。【解決手段】幅広部５、幅狭部６及び段部７がある鴨居２と、鴨居２に対応した幅広部５ａ、幅狭部６ａ及び段部７ａがある敷居３と、幅広の方立て１０と、幅狭の方立て１１と、鴨居２及び敷居３の段部分７，７ａを繋ぐ中方立て１２とを備えた片引き戸の枠構造１であって、中方立て１２の側面２６には、上下方向に沿って溝１３が形成され、前記側面２６の上端部及び下端部の少なくとも一方には切欠部１５が形成され、前記切欠部１５に段部分７，７ａに対する中方立て１２の位置決めをする調整部材１６が配置され、前記調整部材１６によって前記溝１３の端部が塞がれている。【選択図】図１
2007239277.tif 000002
【特許請求の範囲】
【請求項１】
幅広部及び幅狭部とがありこれらの間が段部である鴨居と、鴨居に対応した幅広部、幅狭部及び段部がある敷居と、鴨居及び敷居の幅広側の端部近傍を繋ぐ幅広の方立てと、鴨居及び敷居の幅狭側の端部近傍を繋ぐ幅狭の方立てと、鴨居及び敷居の段部分を繋ぐ中方立てとを備えた片引き戸の枠構造であって、中方立ての側面には、上下方向に沿って溝が形成され、前記中方立ての溝が形成された側面の上端部及び下端部の少なくとも一方には切欠部が形成され、前記切欠部には、鴨居又は敷居の段部分に対する中方立ての位置決めをする調整部材が配置され、前記調整部材によって前記溝の端部が塞がれていることを特徴とする片引き戸の枠構造。
【請求項２】
調整部材には、前記調整部材を中方立ての所定の位置に固定する固定部と、鴨居又は敷居に当接させて中方立ての位置決めをする位置決め部とがあることを特徴とする請求項１に記載の片引き戸の枠構造。
【請求項３】
調整部材の固定部には、中方立てと調整部材との位置合わせをするための係止片があることを特徴とする請求項１又は２に記載の片引き戸の枠構造。
【発明の詳細な説明】
【技術分野】
【０００１】
本発明は、片引き戸の枠構造に関するものである。
【背景技術】
【０００２】
片引き戸の枠は、一般に、鴨居、敷居、鴨居と敷居の両端を連結する幅の異なる二つの方立て、前記方立ての間に位置して開口部と控え壁との境界をなす中方立てから構成されている。
【０００３】
従来から、片引き戸枠の中方立てと鴨居及び敷居との接合については、特許文献１に記載された片引き戸の枠のように、中方立ての上端部及び下端部に切欠部が形成され、かかる切欠部に鴨居及び敷居を配置して、片引き戸の枠が形成されていた。特許文献１には、左右片引き戸のいずれにも使用することができる片引き戸の枠が開示されている。
【０００４】
また、片引き戸の枠を構成する中方立ての引き戸側の面には、引き戸と中方立てとの隙間から明かりが漏れたり、隙間風が入るのを防止するため、上下に渡ってモヘア等の遮断部材が取り付けられていた。例えば、特許文献２には、中方立てに設置された遮断部材の出没が調整可能な引き戸の枠構造が開示されている。
【特許文献１】特開２００３−８２９４５号公報
【特許文献２】特開２００２−２５０１８０号公報
【発明の開示】
【発明が解決しようとする課題】
【０００５】
切欠部は中方立てを切削して形成されるが、切欠部の加工面が粗く形成された場合など、切欠部の寸法が所定の寸法とは一致せず、多少の誤差が生じてしまうことがあった。このように切欠部の寸法に誤差が生じた状態で、中方立てが鴨居や敷居に接合されると、接合部分には段差が生じて接合部分の外観が悪くなる。
【０００６】
また、遮断部材は、中方立てに形成された溝に挿入されて取り付けられるが、従来の片引き戸枠に使われる中方立てでは、遮断部材が溝に沿って移動してしまう。そのため、例えば、一人で遮断部材の取り付け作業を行おうとした場合には、一方の手で遮断部材が動かないように遮断部材を保持しながら、他方の手で取り付け作業を行う必要があり作業性が悪かった。
【０００７】
そこで本発明は、上記問題点を鑑みて、中方立てと鴨居との接合部分や中方立てと敷居との接合部分の外観上の美感を向上させること、並びに中方立てへの遮断部材の取付作業を容易にすることを課題とする。
【課題を解決するための手段】
【０００８】
上記課題を解決するため、請求項１の発明は、幅広部及び幅狭部とがありこれらの間が段部である鴨居と、鴨居に対応した幅広部、幅狭部及び段部がある敷居と、鴨居及び敷居の幅広側の端部近傍を繋ぐ幅広の方立てと、鴨居及び敷居の幅狭側の端部近傍を繋ぐ幅狭の方立てと、鴨居及び敷居の段部分を繋ぐ中方立てとを備えた片引き戸の枠構造であって、中方立ての側面には、上下方向に沿って溝が形成され、前記中方立ての溝が形成された側面の上端部及び下端部の少なくとも一方には切欠部が形成され、前記切欠部には、鴨居又は敷居の段部分に対する中方立ての位置決めをする調整部材が配置され、前記調整部材によって前記溝の端部が塞がれていることを特徴とした。
【０００９】
これにより、切欠部の加工面が粗く切削され、所定の寸法よりも切削され過ぎた場合であっても、中方立ては所定の位置に配置される。その結果、中方立ての側面と、鴨居及び敷居の側面との間には段差が生じない。このため、中方立てと鴨居との接合部分や中方立てと敷居との接合部分の外観上の美感が損なわれない。
【００１０】
また、中方立てに形成された溝には、モヘア等の遮断部材が設置される。遮断部材は、片引き戸枠に引き戸が設置された際に、引き戸と中方立てとの間に生じる隙間を塞ぎ、一方の空間から他方の空間への明かりの漏れや隙間風を防止する。
【００１１】
請求項１の発明では、中方立てに形成された溝の端部が調整部材により塞がれることになる。そのため、溝に遮断部材が取り付けられる場合、溝に挿入された遮断部材の端部が調整部材と当接するので、遮断部材が溝に沿って落下することはない。その結果、遮断手段の取り付け作業において、遮断手段を所定の位置で保持する必要はなく、取り付け作業を一人でも容易に行うことができる。
【００１２】
請求項２の発明は、請求項１の発明において、調整部材には、前記調整部材を中方立ての所定の位置に固定する固定部と、鴨居又は敷居に当接させて中方立ての位置決めをする位置決め部とがあることを特徴とした。
【００１３】
これにより、調整部材を中方立ての所定の位置に固定することを条件に、中方立てを片引き戸枠の所定の位置に配置することができ、中方立ての位置決めがし易い。
【００１４】
請求項３の発明は、請求項１又は２の発明において、調整部材の固定部には、中方立てと調整部材との位置合わせをするための係止片があることを特徴とした。
【００１５】
これにより、調整部材の係止片に中方立てを当接させるだけで、調整部材と中方立てとの位置合わせを行うことができ、中方立てを片引き戸枠に配置する作業効率を向上させることができる。また、係止片によって切欠部の加工面を覆い隠すことができるため、片引き戸枠の外観上の美感を向上させることができる。
【発明の効果】
【００１６】
本発明の片引き戸の枠構造によれば、中方立てと鴨居との接合部分や中方立てと敷居との接合部分の外観上の美感が損なわれることがなく、並びに中方立てへの遮断部材の取り付け作業を容易に行うことができる。
【発明を実施するための最良の形態】
【００１７】
以下、本発明の具体的実施例について説明する。図１は、本発明の実施形態における片引き戸枠１を示す斜視図である。図２は、中方立て１２と敷居３との接合部分を示す拡大斜視図である。
【００１８】
本発明の実施形態における片引き戸枠１は、互いに隣接する一方の空間と他方の空間を仕切る壁に形成され、図１に示すように鴨居２、敷居３、幅広方立て１０、幅狭方立て１１、中方立て１２を備えている。本実施形態において、片引き戸枠１には、所定の大きさに切断された角材が使用される。角材としては、製材、合板、木質繊維板（ＭＤＦ等）、パーティクルボード、単板積層板等の木質系の材料が望ましい。
【００１９】
鴨居２は、板状であって、幅の異なる幅広部５と幅狭部６がある。幅広部５と幅狭部６の間は段部７になっており、かかる段部７で鴨居２の幅が変わる。敷居３も鴨居２と同様に、幅広部５ａ、幅狭部６ａ及び段部７ａがある板状である。そして、鴨居２と敷居３は、それぞれの幅広部５，５ａ、幅狭部６，６ａ及び段部７，７ａが対向するように配置される。
【００２０】
幅広方立て１０は、鴨居２の幅広側の端部と敷居３の幅広側の端部を上下方向に繋ぐ部材であり、幅狭方立て１１は、鴨居２の幅狭側の端部と敷居３の幅狭側の端部を上下方向に繋ぐ部材である。
【００２１】
中方立て１２は、鴨居２の幅広部５と幅狭部６の境界である段部７と、敷居３の幅広部５ａと幅狭部６ａの境界である段部７ａとを繋ぐ部材である。中方立て１２の側面のうち引き戸と対向する側面である遮断面２６には、長手方向に沿って溝１３が形成され、図２に示すように、モヘア等の遮断部材２５が設置される。遮断部材２５は、片引き戸が設置された際に、引き戸と中方立て１２との間に生じる隙間を塞いで、一方の空間から他方の空間に、明かりが漏れたり、隙間風が生じたりするのを防止する。
【００２２】
片引き戸の開口は、鴨居２と、敷居３と、幅広方立て１０と、中方立て１２によって形成される。また、鴨居２と、敷居３と、幅広方立て１０と、幅狭方立て１１によって形成される空間は、引き戸が移動するための空間となる。かかる空間には、引き戸が移動可能に設置され、引き戸を移動させることによって開口の開閉が行われる。
【００２３】
図３は、本実施形態に係る中方立て１２と敷居３との接合部分を示す分解斜視図である。図３に示すように、中方立て１２には溝１３を設けた遮断面２６の上端部及び下端部に切欠部１５が形成される。中方立て１２を片引き戸枠１に配置する場合、かかる切欠部１５に鴨居２や敷居３の段部７，７ａが嵌め込まれて片引き戸枠１に配置される。前記切欠部１５は、中方立て１２を切削して形成されるが、切欠部１５の加工面が粗くなってしまい、所定の寸法から多少の誤差が生じてしまうことがあった。
【００２４】
図４は、従来の片引き戸の枠構造における中方立て１２と敷居３との接合部分を示す側面図である。切欠部１５の切削が足りない場合には、切削をやり直して寸法を合わせることが可能であるが、切削しすぎた場合には、やり直しができないため、強度等に影響しない多少の誤差であれば、中方立て１２はそのまま片引き戸枠１に配置されるおそれがあった。誤差が生じたまま、中方立て１２が配置されると、図４に示すように、中方立て１２の側面のうち遮断面２６とは逆側の面である逆側面２７が、鴨居２や敷居３の側面２８よりも凹んで段差が生じてしまうため、片引き戸枠１の外観上の美感が大きく損なわれてしまう。
【００２５】
本発明では、図３に示すように、中方立て１２と鴨居２との間、及び中方立て１２と敷居３との間には中方立て１２の位置決めを行う調整部材１６が配置される。
【００２６】
調整部材１６は、固定部１７と位置決め部１８を備えており、材質としては、薄く一定の強度を有するものが好ましい。例えば、鉄鋼やアルミなどの金属板や合成樹脂などを使用することができる。本実施形態では、調整部材１６として、一枚の金属板を山型に折り曲げて断面形状がＬ字型のものが使用され、一方の板面が固定部１７として機能し、他方の板面が位置決め部１８として機能している。固定部１７と位置決め部１８との間には頂部２０を有する。
【００２７】
調整部材１６は、固定部１７に設けた図示しない孔に図示しないビスを差し込んで、中方立て１２の切欠部１５に固定される。このとき調整部材１６は、頂部２０を中方立て１２に向けて、固定部１７の端部２１を遮断面２６に位置合わせをして中方立て１２に固定される。
【００２８】
中方立て１２に調整部材１６が固定された後、中方立て１２に設けた溝１３に遮断部材２５が取り付けられる。遮断部材２５は、溝１３に嵌め込んで所定の位置に取り付けられる。遮断部材２５は接着剤によって固定してもよいし、ビス等で固定してもよい。また、中方立て１２の溝１３内にカム又は歯車を内蔵させて遮断手段の出没を微調整することができるようにしてもよい。
【００２９】
また、本実施形態では、溝１３の端部が調整部材１６の固定部１７によって塞がれるため、遮断部材２５が溝１３に沿って落下することもなく、遮断部材２５の取り付け作業を容易に行うことができる。
【００３０】
このようにして、形成された中方立て１２は、図３に示すように切欠部１５に、鴨居２及び敷居３の段部７，７ａが嵌め込まれて配置される。図５は、本実施例に係る片引き戸の枠構造１における中方立て１２と敷居３の接合部分の側面図である。図５に示すように、中方立て１２は、中方立て１２に固定された調整部材１６の位置決め部１８に鴨居２及び敷居３の段部７，７ａを当接させることにより配置される。即ち、中方立て１２は、遮断面２６から位置決め部１８までの一定の長さで常に位置決めされることになる。
【００３１】
このとき、図５に示すように、中方立て１２の逆側面２７と、鴨居２及び敷居３の側面２８とは幅方向で同一の位置となるため、従来例のように両者の間に段差が生じることがない。そのため、接合部分の外観上の仕上がりを常に一定にすることができ、美観が損なわれることはない。
【００３２】
なお、上記実施形態において、調整部材１６は、一枚の金属板を曲げて断面形状をＬ字型にしたものであったが、本発明にかかる調整部材１６は、このような形状のものに限定されるわけではない。図６〜８は、本発明の変形例にかかる調整部材１６の斜視図又は断面図である。
【００３３】
例えば、図６に示すように、調整部材１６の固定部端部２１に中方立て１２の溝１３を設けた面２６と位置合わせするための係止片２２を設けてもよい。係止片２２には、中方立て１２の溝１３を設けた面を当接させることにより、位置合わせが行われる。固定部端部２１に突条の係止片２２を備えた調整部材１６を使用すれば、中方立て１２に調整部材１６を固定せずに、鴨居２及び敷居３の段部７，７ａに調整部材１６の位置決め部１８を当接させて配置してから、中方立て１２を鴨居２及び敷居３に配置することも可能である。また、係止片２２によって中方立て１２の切削された加工面を覆い隠すことができるため、中方立て１２と鴨居２の接合部分、又は中方立て１２と敷居３の接合部分の外観上の美感を向上させることもできる。
【００３４】
また、図７に示すように、位置決め部１８を板状ではなく突条の係止片２３としてもよい。さらに、図８に示すように、調整部材１６の固定部端部２１に係止片２２を設け、位置決め部１８についても係止片２３とすることもできる。
【００３５】
なお、本実施形態においては、中方立て１２の上端部及び下端部に切欠部１５が形成されたが、本発明は、上端部又は下端部の一方にのみ切欠部１５が形成された場合であっても実施することができる。
【図面の簡単な説明】
【００３６】
【図１】本実施形態に係る片引き戸枠を示す斜視図である。
【図２】本実施形態に係る片引き戸の枠構造における中方立てと敷居との接合部分を示す拡大斜視図である。
【図３】本実施形態に係る片引き戸の枠構造における中方立てと敷居との接合部分を示す分解斜視図である。
【図４】従来までの実施形態に係る片引き戸の枠構造における中方立てと敷居との接合部分を示す側面図である。
【図５】本実施形態に係る片引き戸の枠構造における中方立てと敷居の接合部分を示す側面図である。
【図６】（ａ）は、変形例にかかる調整部材を示す斜視図であり、（ｂ）は、変形例にかかる調整部材を示す断面図である。
【図７】（ａ）は、変形例にかかる調整部材を示す斜視図であり、（ｂ）は、変形例にかかる調整部材を示す断面図である。
【図８】（ａ）は、変形例にかかる調整部材を示す斜視図であり、（ｂ）は、変形例にかかる調整部材を示す断面図である。
【符号の説明】
【００３７】
１        片引き戸枠
２        鴨居
３        敷居
７，７ａ  段部
１２      中方立て
１３      溝
１５      切欠部
１６      調整部材
１７      固定部
１８      位置決め部
２２      係止片
２５      遮断部材
【図１】
2007239277.tif 000003
【図２】
2007239277.tif 000004
【図３】
2007239277.tif 000005
【図４】
2007239277.tif 000006
【図５】
2007239277.tif 000007
【図６】
2007239277.tif 000008
【図７】
2007239277.tif 000009
【図８】
2007239277.tif 000010